【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
水、紙製品パルプ、個々に同一又は異なる第１級アミン基又は第２級アミン基である少なくとも２個の基を含有する少なくとも１種の親水性ポリマー、及び還元性官能基を含有する少なくとも１種の糖を含むことを特徴とする組成物。
【請求項２】
前記糖が、単糖又は二糖である、請求項１記載の組成物。
【請求項３】
前記ポリマーが、部分加水分解ポリ(N-ビニルホルムアミド)、部分加水分解酢酸ビニル/N-ビニルホルムアミドコポリマー、加水分解アクリロニトリル/N-ビニルホルムアミドコポリマー、アミン官能性ポリアクリルアミド、アクリル酸/ビニルアミンコポリマー、N-ビニルホルムアミド/ビニルアミンとの無水マレイン酸/マレイン酸コポリマー、スルホン酸ビニルコモノマー単位を有するN-ビニルホルムアミド/ビニルアミンポリマー、アリルアミンポリマー、ジアリルアミンポリマー、アリルアミン/ジアリルアミンコポリマー、尿素/ホルムアルデヒド縮合ポリマー、メラミン/ホルムアルデヒド縮合ポリマー、アミドアミンポリマー、アミン/エピクロロヒドリンポリマー、ポリ(エチレンイミン)、加水分解ポリ(2-アルキル-2-オキサゾリン)又は部分加水分解ポリ(2-アルキル-2-オキサゾリン)である、請求項１記載の組成物。
【請求項４】
前記ポリマーが、ビニルアミンとビニルアルコールとのコポリマーである、請求項１記載の組成物。
【請求項５】
前記コポリマーが、少なくとも0.5質量％のビニルアミンである、請求項４記載の組成物。
【請求項６】
前記コポリマーが、少なくとも3質量％のビニルアミンである、請求項４記載の組成物。
【請求項７】
前記コポリマーが、少なくとも6質量％のビニルアミンである、請求項４記載の組成物。
【請求項８】
前記コポリマーが、少なくとも12質量％のビニルアミンである、請求項４記載の組成物。
【請求項９】
アミン対糖のモル比が、約1：4〜約8：1の範囲である、請求項４記載の組成物。
【請求項１０】
前記塩基をさらに含む、請求項１記載の組成物。
【請求項１１】
前記塩基が、水酸化ナトリウム、水酸化カリウム、アンモニア又は炭酸カルシウムである、請求項１０記載の組成物。
【請求項１２】
前記糖が、少なくとも１種のグルコース、ラクトース又は2-デオキシ-D-リボースである、請求項１記載の組成物。
【請求項１３】
前記親水性ポリマー及び前記糖を約25℃以下の温度で接触させ、その後、加熱してゲル化を誘発させる、請求項１記載の組成物。
【請求項１４】
前記親水性ポリマー及び糖を、少なくとも５０℃の温度に加熱する請求項１３に記載の組成物。
【請求項１５】
前記親水性ポリマー及び糖を、少なくとも７０℃の温度に加熱する請求項１３に記載の組成物。
【請求項１６】
前記親水性ポリマー及び糖を、少なくとも９０℃の温度に加熱する請求項１３に記載の組成物。
【請求項１７】
紙製品パルプ及び、個々に同一又は異なる第１級アミン基又は第２級アミン基である少なくとも２個の基を含有する少なくとも１種の親水性ポリマーと、還元性官能基を含有する少なくとも１種の糖とから形成された成分を含み、前記紙製品パルプと接触する前に、前記少なくとも１種の親水性ポリマーと、前記糖とが少なくとも部分的に反応していることを特徴とする、組成物。
【請求項１８】
前記糖が、単糖又は二糖である、請求項１７記載の組成物。
【請求項１９】
前記ポリマーが、部分加水分解ポリ(N-ビニルホルムアミド)、部分加水分解酢酸ビニル/N-ビニルホルムアミドコポリマー、加水分解アクリロニトリル/N-ビニルホルムアミドコポリマー、アミン官能性ポリアクリルアミド、アクリル酸/ビニルアミンコポリマー、N-ビニルホルムアミド/ビニルアミンとの無水マレイン酸/マレイン酸コポリマー、スルホン酸ビニルコモノマー単位を有するN-ビニルホルムアミド/ビニルアミンポリマー、アリルアミンポリマー、ジアリルアミンポリマー、アリルアミン/ジアリルアミンコポリマー、尿素/ホルムアルデヒド縮合ポリマー、メラミン/ホルムアルデヒド縮合ポリマー、アミドアミンポリマー、アミン/エピクロロヒドリンポリマー、ポリ(エチレンイミン)、加水分解ポリ(2-アルキル-2-オキサゾリン)又は部分加水分解ポリ(2-アルキル-2-オキサゾリン)である、請求項１７記載の組成物。
【請求項２０】
前記ポリマーが、ビニルアミンとビニルアルコールとのコポリマーである、請求項１７記載の組成物。
【請求項２１】
前記コポリマーが、少なくとも0.5質量％のビニルアミンである、請求項２０記載の組成物。
【請求項２２】
前記コポリマーが、少なくとも3質量％のビニルアミンである、請求項２０記載の組成物。
【請求項２３】
前記コポリマーが、少なくとも6質量％のビニルアミンである、請求項２０記載の組成物。
【請求項２４】
前記コポリマーが、少なくとも12質量％のビニルアミンである、請求項２０記載の組成物。
【請求項２５】
アミン対糖のモル比が、約1：4〜約8：1の範囲である、請求項２０記載の組成物。
【請求項２６】
前記塩基をさらに含む、請求項１７記載の組成物。
【請求項２７】
前記塩基が、水酸化ナトリウム、水酸化カリウム、アンモニア又は炭酸カルシウムである、請求項２６記載の組成物。
【請求項２８】
前記糖が、少なくとも１種のグルコース、ラクトース又は2-デオキシ-D-リボースである、請求項１７記載の組成物。
【請求項２９】
（１）湿潤パルプを、(i)個々に同一又は異なる第１級アミン基又は第２級アミン基である少なくとも２個の基を含有する少なくとも１種の親水性ポリマーと還元性官能基を含有する少なくとも１種の糖とを含む組成物と接触させる工程、
（２）前記親水性ポリマーと前記糖との間で架橋反応を誘発する工程、
を含むことを特徴とする、紙製品の強度の増大方法。
【請求項３０】
前記糖が、単糖又は二糖である、請求項２９記載の方法。
【請求項３１】
前記ポリマーが、部分加水分解ポリ(N-ビニルホルムアミド)、部分加水分解酢酸ビニル/N-ビニルホルムアミドコポリマー、加水分解アクリロニトリル/N-ビニルホルムアミドコポリマー、アミン官能性ポリアクリルアミド、アクリル酸/ビニルアミンコポリマー、N-ビニルホルムアミド/ビニルアミンとの無水マレイン酸/マレイン酸コポリマー、スルホン酸ビニルコモノマー単位を有するN-ビニルホルムアミド/ビニルアミンポリマー、アリルアミンポリマー、ジアリルアミンポリマー、アリルアミン/ジアリルアミンコポリマー、尿素/ホルムアルデヒド縮合ポリマー、メラミン/ホルムアルデヒド縮合ポリマー、アミドアミンポリマー、アミン/エピクロロヒドリンポリマー、ポリ(エチレンイミン)、加水分解ポリ(2-アルキル-2-オキサゾリン)又は部分加水分解ポリ(2-アルキル-2-オキサゾリン)である、請求項２９記載の方法。
【請求項３２】
前記ポリマーが、ビニルアミンと少なくとも１種の他のモノマーとのコポリマーである、請求項２９記載の方法。
【請求項３３】
前記コポリマーが、少なくとも0.5質量％のビニルアミンである、請求項３２記載の方法。
【請求項３４】
前記コポリマーが、少なくとも3質量％のビニルアミンである、請求項３２記載の方法。
【請求項３５】
前記コポリマーが、少なくとも6質量％のビニルアミンである、請求項３２記載の方法。
【請求項３６】
前記コポリマーが、少なくとも12質量％のビニルアミンである、請求項３２記載の方法。
【請求項３７】
アミン対糖のモル比が、約1：4〜約8：1の範囲である、請求項３２記載の方法。
【請求項３８】
前記パルプを前記組成物と塩基の存在下に接触させる、請求項２９記載の方法。
【請求項３９】
前記塩基が、水酸化ナトリウム、水酸化カリウム、アンモニア又は炭酸カルシウムである、請求項３８記載の方法。
【請求項４０】
前記糖が、少なくとも１種のグルコース、ラクトース又は2-デオキシ-D-リボースである、請求項２９記載の方法。
【請求項４１】
湿潤パルプと前記組成物を室温以下で接触させ、その後、加熱して架橋を誘発させる、請求項２９記載の方法。
【請求項４２】
前記湿潤パルプと前記組成物を少なくとも50℃の温度に加熱する、請求項４１記載の方法。
【請求項４３】
前記湿潤パルプと前記組成物を少なくとも70℃の温度に加熱する、請求項４１記載の方法。
【請求項４４】
前記湿潤パルプと前記組成物を少なくとも90℃の温度に加熱する、請求項４１記載の方法。
【請求項４５】
前記組成物を少なくとも50℃の温度に加熱する、請求項４１記載の方法。
【請求項４６】
前記組成物を少なくとも70℃の温度に加熱する、請求項４１記載の方法。
【請求項４７】
前記組成物を少なくとも90℃の温度に加熱する、請求項４１記載の方法。
【請求項４８】
前記湿潤パルプを乾燥させる工程をさらに含む、請求項４１記載の方法。
【請求項４９】
湿潤パルプに前記組成物を添加する前に、架橋を誘導してプレ−ゲルを形成する更なる工程を有する、請求項２９記載の方法。